(57)【要約】【課題】  炊飯器の表示部に炊飯器の取扱説明表示部や料理表示部をいつでも表示出来るようにして、使いやすい炊飯器を提供する。【解決方法】  本体１の上部に設けられたふた２と、炊飯ボタン３ａや予約ボタン３ｂ、時間合わせボタン３ｃなどを設けた操作部３と、この操作部３からの情報を文字や記号などで表示する操作表示部４と、本体１内部に設けられ炊飯の加熱制御をする制御部８を備えた炊飯器において、前記操作表示部４の近傍に本体１に関する操作事項や注意事項、手入れ事項などの取扱説明が表示できる取扱説明表示部５を設ける。【選択図】  図１
2005152478.tif 000002
【特許請求の範囲】
【請求項１】
本体（１）の上部に設けられたふた（２）と、炊飯ボタン（３ａ）や予約ボタン（３ｂ）、時間合わせボタン（３ｃ）などを設けた操作部（３）と、この操作部（３）からの情報を文字や記号などで表示する操作表示部（４）と、本体（１）内部に設けられ炊飯の加熱制御をする制御部（８）を備えた炊飯器において、前記操作表示部（４）の近傍に本体（１）に関する操作事項や注意事項、手入れ事項などの取扱説明が表示できる取扱説明表示部（５）を設けたことを特徴とする炊飯器。
【請求項２】
前記取扱説明表示部（５）を設けた場所に炊飯メニューが表示できる料理表示部（６）を設けたことを特徴とする請求項１記載の炊飯器。
【請求項３】
取扱説明表示部（５）と料理表示部（６）を表示切替ボタン（７）で交互に切替表示が出来ることを特徴とする請求項１、２記載の炊飯器。
【発明の詳細な説明】
【技術分野】
【０００１】
本発明は、炊飯器本体に本体に関する取扱説明や炊飯メニューなどを表示する炊飯器に関するものである。
【背景技術】
【０００２】
従来の炊飯器の表示部には、時計及びタイマー等の時間を表示したり、白米炊飯やおかゆ、無洗米炊飯等の各炊飯メニューを表示したり、故障が起きた時の故障内容を示す表示等が主であった。
【０００３】
また、よりご飯がおいしく炊けるよう、ユーザーに対してより多くの情報を伝えるために、特開２００３−０００４２９号公報に記載されているように現在使用しているお米の賞味期限を表示するものや、特開２００３−０７０６２７号公報に記載されているように炊飯器の水平度を表示するもの、特開２００３−１０２６２２号公報に記載されているように内釜内温度を表示するもの、特開平０９−２６２１７８号公報に記載されているように保温経過時間を表示するものがあった。
【０００４】
【特許文献１】特開２００３−０００４２９号公報
【０００５】
【特許文献２】特開２００３−０７０６２７号公報
【特許文献３】特開２００３−１０２６２２号公報
【特許文献４】特開平０９−２６２１７８号公報
【発明の開示】
【発明が解決しようとする課題】
【０００６】
上記従来例において、よりおいしいご飯が炊けるよう、お米の賞味期間表示や、炊飯器を水平に設置できるようにしたり、内釜の温度を表示したり或いは保温経過時間を表示したりしているが、その炊飯器にあった正しい使い方をしないと真価が発揮できない。
【０００７】
そのためにはその炊飯器に添付されている取扱説明書に従い正しい使い方を習得しなければならない。
【０００８】
しかしながら、この取扱説明書は別冊になっているため他の書籍に紛れて、紛失しまいメーカーに問い合わせて入手するか、最悪の場合は操作方法がわからないままとなってしまうという問題があった。
【０００９】
また、炊飯器の表示部に示された炊飯メニュー以外の料理を行なう時は炊飯器購入時に同梱されている料理集を読みながら行なうこととなり、この料理集を無くしてしまった場合は取扱説明書と同じようにメーカーに問い合わせて入手するか、最悪の場合は料理方法がわからないままとなってしまうという問題があった。
【００１０】
更に、料理集を見ながら調理をする場合は、台所によってはこの料理集を広げるスペースがとれず料理集と炊飯器の距離が離れて能率よく炊飯準備作業ができないという問題もあった。
【課題を解決するための手段】
【００１１】
本発明は上記課題を解決するために、本体の上部に設けられたふたと、炊飯ボタンや予約ボタン、時間合わせボタンなどを設けた操作部と、この操作部からの情報を文字や記号などで表示する操作表示部と、本体内部に設けられ炊飯の加熱制御をする制御部を備えた炊飯器において、前記操作表示部の近傍に本体に関する操作事項や注意事項、手入れ事項などの取扱説明が表示できる取扱説明表示部を設けたものである。
【００１２】
また、前記取扱説明表示部を設けた場所に炊飯メニューが表示できる料理表示部を設けたものである。
【００１３】
これら取扱説明表示部と料理表示部は同じ場所に設けられているため表示切替ボタンで交互に切替表示が出来るようにしたものである。
【発明の効果】
【００１４】
以上、本発明によれば、本体の上部に設けられたふたと、炊飯ボタンや予約ボタン、時間合わせボタンなどを設けた操作部と、この操作部からの情報を文字や記号などで表示する操作表示部と、本体内部に設けられ炊飯の加熱制御をする制御部を備えた炊飯器において、前記操作表示部の近傍に本体に関する操作事項や注意事項、手入れ事項などの取扱説明が表示できる取扱説明表示部を設けたものである。
【００１５】
また、前記取扱説明表示部を設けた場所に炊飯メニューが表示できる料理表示部を設けたものである。
【００１６】
これら取扱説明表示部と料理表示部は同じ場所に設けられているため表示切替ボタンで交互に切替表示が出来るようにしたことにより取扱説明表示部もしくは料理表示部を炊飯器に表示したまま通常操作を可能としたことから、ふと操作方法を忘れた時や、応用メニューを行なおうとした時に、いちいち別冊の取扱説明書や別冊の料理集を探して読む必要が無くなり、不要な手間を省くことができる。
【００１７】
更には別冊の料理集などを広げるスペースも不要となることから、限られたキッチンスペースを有効活用することができ、ユーザーは炊飯器を使用しやすくなるなどの効果がある。
【発明を実施するための最良の形態】
【００１８】
以下、本発明の実施例について図面を用いて説明する。
【００１９】
図１は本発明の一実施例である炊飯器の外観斜視図で、１は本体である。２はふたで、炊き上がったご飯（図示せず）を内釜（図示せず）から取り出すとき開けるもので、開閉自在となっている。２ａはふた２を本体に１に固定したり、解除したりするフックボタンである。
【００２０】
３ａは炊飯開始のとき操作する炊飯ボタンである。３ｂは予約ボタンで、ユーザーの希望する時間に炊き上げるとき使用するものである。３ｃは時間合わせボタンで、炊飯予約時間や現在時刻を合わせるとき使用するものである。３ｄはご飯を保温するとき使用する保温ボタンである。
【００２１】
３ｅは白米、無洗米など炊き分けを選定する炊き分けボタンである。３ｆは炊込み、玄米など健康メニューが選べるメニューボタンである。以上説明した符号３ａから３ｆを総称して操作部３と称す。
【００２２】
４は操作表示部で、操作部３の炊飯ボタン３ａや予約ボタン３ｂなどの操作状況を文字や記号などで表示するところである。本発明品においては全体では図２に示すような表示する文字が盛り込まれている。これらの文字は通常は点灯していないが、操作部３の指示により、例えば午後８時の時間表示の場合は図３で示すように「午後」と「８：００」だけが点灯表示され、他の文字は表示されない。
【００２３】
５は本体１に関する操作事項や注意事項、手入れ事項などの取扱説明が表示される取扱説明表示部である。
【００２４】
取扱説明表示部５の具体的な主な内容は、本体１を安全に正しく使用するため図４に示すような「安全のため必ずお守りください」５ｂとか、図５に示す「おいしく食べるひとくふう」５ｃとか、図６に示す「お手入れ」５ｄなどが盛り込まれている。
【００２５】
６は料理表示部で、炊飯メニューが表示されるところで、図７に示す赤飯６ｂや図８に示す山菜おこわ６ｃなどが盛り込まれている。これらには材料、作り方を表示している。
【００２６】
７は表示切替ボタンで、設置場所の制約により取扱説明表示部５と料理表示部６を別々の場所に設置できなく同じ場所に設けられるため、取扱説明表示部５の表示と料理表示部６の表示を交互に切り替えるものである。
【００２７】
７ｂはスクロールボタンで、例えば取扱説明表示部５が表示されている場合、この取扱説明表示部５内の表示内容を変えたいとき、現在表示されている画面から次の新しい画面に切替えたいときや前の画面に切替えたいとき使用するものである。新しい画面に切替えたいときはアップスクロールボタン７ｂ１を、前の画面に切替えたいときはダウンスクロールボタン７ｂ２を操作する。
【００２８】
８は制御部で、操作部３からの指示により炊飯の加熱制御などを行なうところである。
【００２９】
次に、上記のように構成された本発明の動作について説明する。
【００３０】
炊飯する前に本体１を使用するに当たって安全に使用するためにはどんなことに注意すれば良いかを知りたい場合、表示切替ボタン７で図９に示すような取扱説明表示部５のタイトル画面５ａを選定する。
【００３１】
次に、アップスクロールボタン７ｂ１で取扱説明表示部５の画面を送り図４で示すような「安全のため必ずお守りください」５ｂを選定する。
【００３２】
図５で示すような「おいしく食べるひとくふう」５ｃの画面にしたい場合はアップスクロールボタン７ｂ１を使用して選定する。前の画面に戻したいときはダウンスクロールボタン７ｂ２を使用する。
【００３３】
料理表示部６にしたい場合、表示切替ボタン７で図１０に示すような料理表示部６のタイトル画面６ａを選定する。そして、山菜おこわ６ｃを選定したいときは、アップスクロールボタン７ｂ１で料理表示部６の画面を送り、図８で示すような山菜おこわ６ｃ画面を選定する。ダウンスクロールボタン７ｂ２を操作すると図７で示すような赤飯６ｂが表示される。
【００３４】
次に、ユーザーが山菜おこわ６ｃを炊く場合、料理表示部６の山菜おこわ６ｃの表示部により材料をそろえたり、作り方に従って炊飯準備を行なう。
【００３５】
炊飯準備完了後、次に操作部３のメニューボタン３ｆで「炊込み」を選定すると制御部８により加熱パターンが決定される。次に、炊飯ボタン３ａを操作すると加熱が開始される。そして予め設定された時間が経過すると炊飯は完了する。
【００３６】
このように取扱説明表示部５や料理表示部６が本体１にあるためユーザーは料理表示部６を見て材料をそろえたり、作り方に従って炊飯準備が可能となり、別冊の取扱説明書や料理集にたよらないため、探す手間や設置場所の確保、水に濡らさないような気遣いなどの問題もなく能率よく炊飯を行なうことができる。
【図面の簡単な説明】
【００３７】
【図１】本発明の一実施例を示す炊飯器の外観斜視図である。
【図２】本発明の一実施例を示す操作表示部の全表示の図である。
【図３】本発明の一実施例を示す時間の表示例を示す図である。
【図４】本発明の一実施例を示す取扱説明表示部の一例で、「安全のため必ずお守りください」の図である。
【図５】本発明の一実施例を示す取扱説明表示部の一例で、「おいしく食べるひとくふう」の図である。
【図６】本発明の一実施例を示す取扱説明表示部の一例で、「お手入れ」の図である。
【図７】本発明の一実施例を示す料理表示部の一例で、「赤飯」の図である。
【図８】本発明の一実施例を示す料理表示部の一例で、「山菜おこわ」の図である。
【図９】本発明の一実施例を示す取扱説明表示部のタイトル画面の図である。
【図１０】本発明の一実施例を示す料理表示部のタイトル画面の図である。
【符号の説明】
【００３８】
１・・・本体
２・・・ふた
３・・・操作部
３ａ・・炊飯ボタン
３ｂ・・予約ボタン
３ｃ・・時間合わせボタン
４・・・操作表示部
５・・・取扱説明表示部
６・・・料理表示部
７・・・表示切替ボタン
８・・・制御部
【図１】
2005152478.tif 000003
【図２】
2005152478.tif 000004
【図３】
2005152478.tif 000005
【図４】
2005152478.tif 000006
【図５】
2005152478.tif 000007
【図６】
2005152478.tif 000008
【図７】
2005152478.tif 000009
【図８】
2005152478.tif 000010
【図９】
2005152478.tif 000011
【図１０】
2005152478.tif 000012